(57)【要約】【課題】本体の設置性、扉体のシール性に優れた食器洗い機を提供する。【解決手段】前面開口部９を有する洗浄槽８を内設した本体７と、スライド溝部１４を有し前面開口部９を開閉自在に覆う上扉体１０と、一端が洗浄槽８の側壁に回動自在に取着され、他端がスライド溝部１４に摺動自在で、上扉体１０を本体７の上方へ移動可能に支持するスライド支持部１２と、上扉体１０を所定軌跡で開閉移動させる第１、第２の動作規制部１８、１９とを備え、上扉体１０の閉成時に、上扉体１０の移動を規制する規制部材４１を設けたもので、上扉体１０が、スライド支持部１２と第１、第２の動作規制部１８、１９によって回転とスライドが組み合わさった動作で開閉するため、前方への突出長さが短い、あるいは、開閉高さが低い軌跡で上扉体１０を開閉させることができ、また、規制部材１４により上扉体の閉成位置が安定し、前面開口部９とのシール性も向上する。【選択図】図１
2006110131.tif 000002
【特許請求の範囲】
【請求項１】
前面開口部を有する洗浄槽を内設した本体と、スライド溝部を有し前記前面開口部を開閉自在に覆う扉体と、一端が前記洗浄槽の側壁に回動自在に取着され、他端が前記スライド溝部に摺動自在で、前記扉体を前記本体の上方へ移動可能に支持するスライド支持部と、前記扉体を所定軌跡で開閉移動させる動作規制部とを備え、前記扉体の閉成時に、前記扉体の移動を規制する扉体閉成規制手段を設けた食器洗い機。
【請求項２】
扉体閉成規制手段は、動作規制部の閉塞方向への動作によって、スライド支持部の扉体開放方向への回動を規制する構成とした請求項１に記載の食器洗い機。
【請求項３】
扉体閉成規制手段は、洗浄槽の側壁に設けた支軸に回転自在に保持された規制部材を備え、前記規制部材は、扉体閉成時にスライド支持部と当接する第１の当接部と、動作規制部と当接する第２の当接部とを有する請求項１または２に記載の食器洗い機。
【請求項４】
動作規制部と第２の当接部との当接が解除された時、第１の当接部を、スライド支持部との当接を解除する方向に変位させる変位手段を設けた請求項３に記載の食器洗い機。
【発明の詳細な説明】
【技術分野】
【０００１】
本発明は、食器等を洗浄する食器洗い機に関するもので、特に扉開閉機構に関するものである。
【背景技術】
【０００２】
従来のこの種の食器洗い機は、図４に示すように構成されていた（例えば特許文献１参照）。
【０００３】
以下、その構成について説明する。食器洗い機は、食器等の被洗浄物を洗浄槽１に収納し、洗浄槽１に設けた前面開口部２を上扉体３、下扉体４により閉塞してから、洗浄ポンプ（図示せず）を運転し、洗浄水を噴射することにより、被洗浄物の洗浄およびすすぎ工程を行うようになっていた。前面開口部２を開閉する扉体の開閉形態については、種々のものが存在するが、本従来例の食器洗い機は、扉体を、上扉体３、下扉体４と２個に分割することで、扉体の開閉に必要な空間（扉体が移動する空間）を小さくし、狭い場所へも食器洗い機が設置できるように、設置性の向上を図ったものである。
【０００４】
２個の扉体のうち下扉体４は、回転支点５で前面開口部２の前下方に回動する。一方、上扉体３は回転支点６で回転支持され、本体の上方空間に開成することで、上扉体３の開閉に必要な高さを小さく抑え、高さの小さい場所にでも、設置できるようにすると同時に、扉体開成状態における上扉体３の前面開口部２より前方への突出長さをできるだけ小さくし、被洗浄物の出し入れ等に支障がないようにしていた。
【特許文献１】特開２００２−２７２６６０号公報
【発明の開示】
【発明が解決しようとする課題】
【０００５】
しかしながら、上記従来の食器洗い機の上扉体３の開閉構成では、本体や上扉体３の形状が同一とすれば、上扉体３の開閉に必要な高さと開成状態での前方への突出長さは、相反する関係にあり、開閉高さを低くすれば前方への突出長さが長くなり、逆に前方への突出長さを短くすれば、開閉高さが高くなるという課題を有していた。
【０００６】
また、前記課題を解決するために、上扉体３を回転とスライドが組み合わさった動作で開閉させることで、上扉体３の前方への突出長さを短くするか、あるいは、開閉高さを低くすることが可能となるが、扉体開閉機構を構成する部品点数が多くなり、またスライド機構を必要とするため、上扉体３の閉成位置が不安定になるという課題を有していた。
【０００７】
本発明は、上記従来の課題を解決するもので、扉体の開閉に必要な空間や高さが小さく、本体の設置性に優れ、開口部から扉体を邪魔にならない位置まで大きく開放することができ、また、扉体の閉成位置を安定させシール性を高めた食器洗い機を提供することを目的とする。
【課題を解決するための手段】
【０００８】
前記従来の課題を解決するために、本発明の食器洗い機は、前面開口部を有する洗浄槽を内設した本体と、スライド溝部を有し前記前面開口部を開閉自在に覆う扉体と、一端が前記洗浄槽の側壁に回動自在に取着され、他端が前記スライド溝部に摺動自在で、前記扉体を前記本体の上方へ移動可能に支持するスライド支持部と、前記扉体を所定軌跡で開閉移動させる動作規制部とを備え、前記扉体の閉成時に、前記扉体の移動を規制する扉体閉成規制手段を設けたもので、扉体が、単純な回転動作で開閉するのではなく、スライド支持部と動作規制部によって回転とスライドが組み合わさった動作で開閉するため、前方への突出長さを短くできるか、あるいは、開閉高さを低くできるような軌跡で扉体を開閉させることができ、また、扉体閉成規制手段により、扉体の閉成位置を規制し、扉体の閉成位置を安定させ、扉体と前面開口部とのシール性を高めることができる。
【発明の効果】
【０００９】
本発明の食器洗い機は、扉体の開閉に必要な空間や高さを小さくすることができ、本体の設置性を向上させたり、開口部から扉体を邪魔にならない位置まで大きく開放することが可能となり、被洗浄物の出し入れなどの使い勝手を向上させたりすることができる。また、扉体閉成規制手段により、上扉体の閉成位置を安定させることができるので、洗浄槽に対する上扉体の閉成位置が安定し、高いシール性を実現できる。
【発明を実施するための最良の形態】
【００１０】
第１の発明は、前面開口部を有する洗浄槽を内設した本体と、スライド溝部を有し前記前面開口部を開閉自在に覆う扉体と、一端が前記洗浄槽の側壁に回動自在に取着され、他端が前記スライド溝部に摺動自在で、前記扉体を前記本体の上方へ移動可能に支持するスライド支持部と、前記扉体を所定軌跡で開閉移動させる動作規制部とを備え、前記扉体の閉成時に、前記扉体の移動を規制する扉体閉成規制手段を設けたもので、扉体が、単純な回転動作で開閉するのではなく、スライド支持部と動作規制部によって回転とスライドが組み合わさった動作で開閉するため、前方への突出長さを短くできるか、あるいは、開閉高さを低くできるような軌跡で扉体を開閉させることができ、また、扉体閉成規制手段により、扉体の閉成位置を規制し、扉体の閉成位置を安定させ、扉体と前面開口部とのシール性を高めることができる。
【００１１】
第２の発明は、特に、第１の発明の扉体閉成規制手段は、動作規制部の閉塞方向への動作によって、スライド支持部の扉体開放方向への回動を規制する構成としたもので、扉体の開閉動作軌跡を規定する動作規制部とスライド支持部の相互作用によって、閉成時の扉体の移動を規制することが可能となり、扉体の動作にリンクした扉体の閉成位置規制を実現できる。
【００１２】
第３の発明は、特に、第１又は第２の発明の扉体閉成規制手段は、洗浄槽の側壁に設けた支軸に回転自在に保持された規制部材を備え、前記規制部材は、扉体閉成時にスライド支持部と当接する第１の当接部と、動作規制部と当接する第２の当接部とを有するもので、扉体閉成規制手段を２つの当接部と回転軸という簡単な構成で実現することが可能となり、安価で加工誤差、組立て誤差の影響を受けにくい扉体閉成規制手段を備えた食器洗い機を提供することができる。
【００１３】
第４の発明は、特に、第３の発明の動作規制部と第２の当接部との当接が解除された時、第１の当接部を、スライド支持部との当接を解除する方向に変位させる変位手段を設けたもので、扉体が閉成状態でロックされることなく、確実に開放できる安定した扉体開閉動作を実現できる。
【００１４】
以下、本発明の実施の形態について図面を参照しながら説明する。なお、本実施の形態によって本発明が限定されるものではない。
【００１５】
（実施の形態１）
図１は、本発明の第１の実施の形態における食器洗い機の側壁部断面図、図２は、同食器洗い機の斜視図、図３は、同食器洗い機の扉体閉成規制手段の動作説明図である。
【００１６】
食器洗い機の本体７は、内部に洗浄槽８を設けており、この洗浄槽８の前面開口部９の上部、下部をそれぞれ上扉体１０と下扉体１１により開閉するよう構成している。洗浄槽８内部には食器などの被洗浄物（図示せず）をセットする食器かご（図示せず）が収納されている。
【００１７】
上扉体１０をスライド自在に支持するスライド支持部１２は、一端が洗浄槽８の側壁上部に第１の回転支点１３で回転自在に支持され、他端が上扉体１０に設けたスライド溝部１４に２点のスライド係合部１５によりスライド自在に支持されている。スライド溝部１４の溝幅は、上扉体１０の閉成状態でスライド係合部１５が係合する近傍だけ他の範囲より狭くなっており、上扉体１０の閉成状態でのスライド溝部１４とスライド係合部１５の隙間は、加工誤差、組立て誤差を考慮した時に両部品が突っ張って、開閉動作がロックすることのない必要最小限の設定となっている。
【００１８】
スライド溝部１４の他の範囲は、スライド係合部１５の摺動に悪影響をおよぼすことのないよう十分な幅が確保されている。またスライド係合部１５には回転自在なローラー部１６が設けられており、スライド係合部１５のスライド溝部１４内の摺動をスムーズにしている。
【００１９】
また、上扉体１０を一意的な所定軌跡で開閉移動させるための動作規制手段として、互いの一端同士を第１の連結点１７で回転自在に連結した第１の動作規制部１８と第２の動作規制部１９が設けられており、第１の動作規制部１８の他端は洗浄槽８側壁に第２の回転支点２０で回転自在に支持され、第２の動作規制部１９の他端は上扉体１０の下端に設けた固定点２１に固定されている。第１の動作規制部１８、第２の動作規制部１９が本体７の前面の側部から外部に出入りする部分には動作規制部収納口２２が設けられている。また、第１の動作規制部１８は、上扉体１０の開成状態で、下方向に凸となるＶ字形状となっており、同じく上扉体１０の開成状態で動作規制収納口２２と当接する第１のリブ２３が設けられている。
【００２０】
下扉体１１は、洗浄槽８の前面開口部９の下端部近傍で第３の回転支点２４により回転自在に支持された下支持部２５に固定されており、前面開口部９の前下方にその内面が上向き水平となる位置まで開放する。下扉体１１には押しボタンスイッチ２６と、下扉体１１を閉成状態に固定するロック手段２７を設け、押しボタンスイッチ２６を押すことにより、それと連動して、ロック手段２７が洗浄槽８側壁に設けた係止部２８から解除されるようにしている。上扉体１０および下扉体１１と前面開口部９のシール、および上扉体１０、下扉体１１間のシールを行うために、前面開口部９と上扉体１０には弾性体で形成されたシール部材２９が設けられている。
【００２１】
また、連動部３０の一端を第１の動作規制部１８と第２の連結点３１で回転自在に連結し、他端を下支持部２５と第３の連結点３２で回転自在に連結することで、上扉体１０と下扉体１１が連動して開閉する構成となっている。さらに連動部３０に設けた第１の保持部３３と洗浄槽８側壁に設けた第２の保持部３４を第１のスプリング３５（引張りコイルバネ）で連結し、上・下扉体１０、１１が開放する方向に弾性的に付勢するよう構成している。なお、連動部３０の本体７の外部に露出する部分には、保護部材３６が設けられている。
【００２２】
洗浄槽８の側壁には、連動部３０と当接して上・下扉体１０、１１の開成状態を維持するストッパー部３７と、上扉体１０の閉成時に、その上扉体１０が開成方向に移動するのを規制する扉体閉成規制手段となる規制部材４１と、規制部材４１の回転動作を規制する回転規制部４２が設けられている。
【００２３】
規制部材４１は、洗浄槽８の側壁に支軸４０で回転自在に支持され、一端に、上扉体１０の閉成時にスライド支持部１２と当接する第１の当接部３８を、他端に第１の動作規制部１８と当接する第２の当接部３９を備えている。
【００２４】
以上のように構成された食器洗い機についてその動作、作用を説明する。
【００２５】
押しボタンスイッチ２６を押すと、ロック手段２７が係止部２８から解除され、第１のスプリング３５による上・下扉体１０、１１の開放側へ付勢された連動部３０により、上扉体１０と下扉体１１は連動して閉成状態から連動部３０がストッパー部３７と当接する開成状態まで自動的に開放される。
【００２６】
上・下扉体１０、１１の開放動作の詳細は以下の通りである。
【００２７】
下扉体１１の開放動作は、洗浄槽８下端を中心に前下方に回転し、その内面が上向き水平となる位置まで回転する。上扉体１０は、一端側が洗浄槽８側壁に回転支持され、他端側で上扉体１０のスライド溝部１４をスライド支持しているスライド支持部１２により、回転とスライドが組み合わさった軌跡で移動する。これにより、図４の従来のように単純に支持部材により回転支持されている場合と比べて、移動軌跡の自由度が高くなっている。ただし、このスライド支持部１２だけでは、上扉体１０の回動軌跡は一意的に決まらず、自在に動作してしまい、本体１の上面等に衝突するなどの恐れがある。
【００２８】
そこで第１の動作規制部１８と第２の動作規制部１９により、上扉体１０の移動軌跡を一意的に規制している。これによって、上扉体１０を本体７の外殻形状に沿うように本体７の上方に移動させることが可能となり、上扉体１０の開閉に必要な設置高さが従来より低く抑えられ設置性のよい食器洗い機を提供することができる。
【００２９】
また、完全に開成した状態で、上扉体１０の前面開口部９より前方に出た突出長さも小さくできるため、洗浄槽８内が見やすく、食器等の被洗浄物の出し入れにも邪魔にならない使い勝手のよい食器洗い機を実現できる。
【００３０】
上・下扉体１０、１１が開成状態においては、動作規制部収納口２２が第１の動作規制部１８に設けられた第１のリブ２３と当接することで、上扉体１０が本体１の上面でぐらつくことがなく、製品の品位を損ねる事がない。
【００３１】
下扉体１１の開放後、下扉体１１に食器かごを引出し、被洗浄物をセットする。食器かごを下扉体１１内面上に引出す構成をとっているので、被洗浄物から垂れた汁、水滴が機外へ流出するのを防止することができる。
【００３２】
続いて、食器かごを洗浄槽８内に収納し、下扉体１１を閉塞する。上扉体１０と下扉体１１は連動部３０により連動して開閉する構成となっているので、上扉体１０も同時に閉塞される。
【００３３】
スライド溝部１４とスライド係合部１５の隙間は、上扉体１０の閉成時だけ狭く設定されているため、上扉体１０の閉成時には上扉体１０とスライド支持部１２のガタツキを最小限に抑え、開閉途中にはスライド溝部１４とスライド係合部１５がスムーズに摺動し、安定した扉体開閉動作を実現している。また、スライド係合部１５にローラー部１６を設けることで、スライド溝部１４とスライド係合部１５の摺動抵抗はさらに低減でき、より安定した扉体開閉動作を実現できる。
【００３４】
第１の動作規制部１８は、連動部３０を介して洗浄槽８の前面にロックされた下扉体１１と連動しているため下扉体１１の閉成時の前面開口部９に対する位置が安定している。図３（ａ）に示すように、上扉体１０の閉成時に規制部材４１は、第２の当接部３９で、第１の動作規制部１８と当接することで回転動作がロックされており、この規制部材４１と第１の当接部３８で当接しているスライド支持部１２は開放方向の移動がロックされるため、上扉体１０上部の閉成位置が安定し、前面開口部９との間の確実なシールを実現できる。
【００３５】
また、第１の当接部３８の当接位置と、第２の当接部３９の当接位置と、支軸４０の位置と、規制部材４１の形状を自重で第１の当接部３８が当接解除方向（図中では、反時計方向）に回転するよう構成することで、下扉体１１の開放時には、図３（ｂ）のように、スライド支持部１２の回転方向の動作規制が解除され、上扉体１０を確実に開放することができる。なお、規制部材４１は回転規制部４２により、スライド支持部１２の回転動作規制解除後は、回転を停止する構成となっているので、次の閉塞動作にも支障がない。
【００３６】
上記実施の形態では、規制部材４１を当接解除方向に変位させる変位手段として、規制部材４１が自重で解除方向に回転するようにしたが、規制部材４１を解除方向にバネなどを用いて弾性的に付勢することで、さらに信頼性を高くすることもできる。
【００３７】
なお、上述した上・下扉体１０、１１の開閉リンク機構は、図２に示すように洗浄槽８、及び上・下扉体１０、１１の左右両側に設けられている。
【産業上の利用可能性】
【００３８】
以上のように、本発明にかかる食器洗い機は、前方への突出長さを短くできるか、あるいは、開閉高さを低くできるような軌跡で扉体を開閉させて設置性を向上させ、扉体と洗浄槽の確実なシールを実現したものであり、食器洗い機に限らず扉体を使用する洗濯機、洗浄機，調理機器など各種機器に適用できる。
【図面の簡単な説明】
【００３９】
【図１】本発明の第１の実施の形態における食器洗い機の側壁部断面図
【図２】同食器洗い機の斜視図
【図３】（ａ）同食器洗い機の扉体閉成時の扉体閉成規制手段の詳細図（ｂ）同食器洗い機の扉体開放途中の扉体閉成規制手段の詳細図
【図４】従来の食器洗い機の側壁部の主要断面図
【符号の説明】
【００４０】
７  本体
８  洗浄槽
９  前面開口部
１０  上扉体（扉体）
１１  下扉体
１２  スライド支持部
１４  スライド溝部
１８  第１の動作規制部（動作規制部）
１９  第２の動作規制部（動作規制部）
４１  規制部材（扉体閉成規制手段）
【図１】
2006110131.tif 000003
【図２】
2006110131.tif 000004
【図３】
2006110131.tif 000005
【図４】
2006110131.tif 000006